(57)【要約】      （修正有）【課題】無縫製でパンティ部を形成するもので、極薄の熱接着性の高ストレッチ性テープを使用して、２本の筒状の編物生地を接合することができて、該接合部には充分な伸縮性も得られる、新規なパンティ部を備えた靴下類の製造方法を提供する。【解決手段】丸編みされた２本の筒状生地１、２どうしを該生地のウエスト部となるべき上端縁から直角方向に両面接着性の熱融着性高ストレッチテープ８を股底となるべき位置まで互いに熱接着し、しかる後に該テープが全長にわたって半幅となるように該テープと接する上記両筒状生地部分と共に該テープをカッター１６で切り開くことによりパンティ部を形成することを特徴とする。また、このパンティ部の股底部分内側には、パンティ部の縦中心線に沿って所定の長さで少なくとも前記両面接着性の熱融着性高ストレッチテープの半幅以上の幅を有する片側接着性の熱融着性高ストレッチテープを熱接着する。【選択図】図４
2019210577.tif 000002
【特許請求の範囲】
【請求項１】
丸編みされた２本の筒状生地どうしを該生地のウエスト部となるべき上端縁から直角方向に両面接着性の熱融着性高ストレッチテープを股底となるべき位置まで互いに熱接着し、しかる後、該テープが全長にわたって半幅となるように該テープと接する上記両筒状生地部分と共に該テープをカッターで切り開くことによりパンティ部を形成することを特徴とするパンティ部を有する無縫製の靴下類の製造方法。
【請求項２】
前記パンティ部の股底部分内側には、パンティ部Ｐの縦中心線に沿って所定の長さで少なくとも前記両面接着性の熱融着性高ストレッチテープの半幅以上の幅を有する片側接着性の熱融着性高ストレッチテープを熱接着してなる特許請求の範囲１記載のパンティ部を有する無縫製の靴下類の製造方法。
【請求項３】
前記パンティ部のウエスト部分の少なくとも内側の腹側及びヒップ側の縦中心には、ウエスト部分の幅にほぼ等しい長さで、前記両面接着性の熱融着性高ストレッチテープの半幅又はそれより幅広の片側接着性の熱融着性高ストレッチテープを熱接着してなる特許請求の範囲１又は２記載のパンティ部を有する無縫製の靴下類の製造方法。
【請求項４】
前記無縫製の靴下類は、パンティストッキング、タイツ、あるいはレギンスである請求項１〜３のいずれかに記載のパンティ部を有する無縫製の靴下類の製造方法。
【発明の詳細な説明】
【技術分野】
【０００１】
本発明は、伸縮性のある編物である通常縫製が必要なパンティストッキングやタイツ、レギンス等のパンティ部とレッグ部とを備えた靴下類であって、従来のような縫製工程を全く不要としたパンティ部を有する靴下類の製造方法に関するものである。
【背景技術】
【０００２】
体の動きに合わせてフィットさせる目的で伸縮性のある生地を使用して衣料を成形する場合、生地を接合する部分にも当然伸縮性が求められる。この場合、一般には針と糸を用いて手縫いしたり、ミシンを使用して縫製される。
【０００３】
そして、接合する生地どうしはそのほつれを防ぐため、縫い代を重ねて縫い合わせる必要があるので、縫製部が嵩高となり、また、ほつれを防ぐために糸を引き締めると伸びが悪くなる。
【０００４】
しかも、上記縫い代は見栄えが良くないことから、衣料の内側にもって来ると、生地内面に凹凸が生じて着用感が悪くなる。
【０００５】
パンティストッキングやタイツ、レギンス（５分丈、７分丈を含む）等のパンティ部とレッグ部とを有する靴下類で、パンティ部を成形する場合には、特開２０１７−２１８７０３号公開公報の図６で従来法として説明されているように、ここに添付の図６（イ）〜（ハ）に示す通り、まず丸編機で２本の伸縮性のある筒状生地１，２を同時に編成してから、それぞれまずその上端ウエスト部となるべき個所５，５の上辺の１個所からカッターで垂直方向（筒状生地１，２の長さ方向）に股底（股座）となる所定の長さ（深さ）位置まで切込み３，４を入れ（図６（イ）〜（ロ）参照）、この切込み３，４の切り開いた端縁部３ａ，３ｂ及び４ａ，４ｂの対向する左右同側どうし３ａ，４ａならびに３ｂ，４ｂの表側を重ね合わせて縫い代を設けた状態で、上記切開き端縁部どうし（例えば３ａと４ａ、ならびに３ｂと４ｂ）を互いにミシンにより縫い合せて縫目部分５０を設け、切開き端縁部の余計な縫い代部分は切除し、この縫目部分５０（３ａ，４ａならびに３ｂ，４ｂ）を内側にしてパンティ部Ｐを形成している（図６（ハ）参照）。
【０００６】
これにより、パンティ部Ｐの内面には腹側の縦中心から股部を通って臀部側の縦中心まで一直線の縫目５０が設けられることになる。
【０００７】
しかし、このように形成したパンティ部Ｐを着用したときには、このパンティ部Ｐの縦方向の縫目５０は、見栄えの点から内側とするので、この縫目５０が凹凸となって肌側に突出するため、ごろついて着用感が悪くなるばかりでなく、縫目部分５０自体の伸縮性が低下し、しかもこの縫目部分５０が肌に食い込んで腹部や臀部に上下方向の跡が残ったり、かゆみが生じることがあり、また切除した縫い代部分の生地も無駄となっていた。
【先行技術文献】
【特許文献】
【０００８】
【特許文献１】特開２０１７−２１８７０３号公開公報
【非特許文献】
【０００９】
【非特許文献１】なし
【発明の概要】
【発明が解決しようとする課題】
【００１０】
本発明は、このように従来のパンティストッキング等の通常パンティ部がミシンによって縫製されることによる製造上の問題点に鑑み、全く無縫製でパンティ部を形成するもので、極薄の両面接着性の熱融着性高ストレッチ性テープを使用して、より簡単に２本の筒状の編物生地を接合することができて、該接合部には充分な伸縮性も得られる、従来法とは全く異なる新規なパンティ部を備えた靴下類の製造方法を提案するものである。
【課題を解決するための手段】
【００１１】
即ち、本発明は、丸編みされた２本の筒状生地どうしを該生地のウエスト部となるべき上端縁から直角方向に両面接着性の熱融着性高ストレッチテープを股底となるべき位置まで互いに熱接着し、しかる後、該テープが全長にわたって半幅となるように該テープと接する上記両筒状生地部分と共に該テープをカッターで切り開くことによりパンティ部を形成するパンティ部を有する無縫製の靴下類の製造方法に関するものである。
【００１２】
例えば、パンティストッキングのパンティ部を形成する場合には、丸編みされた２本の筒状編み生地を、それぞれ正面全体が略凸型形状をなすパンティ部のウエスト部から股底部分（股座）までの深さ（長さ）よりも前後に長い２本の突出治具の外側にウエスト部となるべき部分が前側に来るように上記突出治具の後端部から被せるようにして前方へ引き寄せる。
【００１３】
そこで、先ず１本の略凸型突出治具に片方の筒状編み生地を被せたら、この凸型突出治具中央の山部の上方からウエスト部となるべき上端縁部分からパンティ部の股底部（股座）となるべき深さ（長さ）まで直角方向に上面に剥離紙を備えた所定幅（例えば８〜１６mm）の両面接着性の極薄の熱融着性（ホットメルト系）高ストレッチテープを上方からヒータで該筒状生地に加熱加圧接着する。
【００１４】
次に、上記テープの上面剥離紙を剥がしてから、前記と略同構成でしかもヒータを備えた他の凸型突出治具に被せたもう１本の筒状生地を上下逆向きにして、上方から上記と同様にして凸型突出治具中央の山部に接する筒状生地のウエスト部から股底部分まで上記テープのもう片側の粘着面にヒータで加熱加圧接着する。
【００１５】
これにより、２本の筒状生地どうしは所定個所をウエスト部から股底部分までの長さの両面接着性のフィルム状熱融着性高ストレッチテープによって互いに接合される。
【００１６】
そこで、次に２本の略凸型突出治具に被せられて互いに接合された２本の筒状生地をそれぞれ突出治具から取り出し、他の治具を使用して上記テープによる接合部が中央に来るように、両筒状生地を例えば図４のように左右に（あるいは上下に）配置されるようにし、片方の筒状生地の内側からローラカッターにより貼着したテープ幅の中心部をその長さ方向に沿ってテープ全体を該テープと接する他方の筒状生地と同時に裁断する。
【００１７】
これにより、２本の筒状生地は接合個所のウエスト部分から股底部分までが切り開かれ、２本の筒状生地の切開かれた相対する端縁部どうしはテープ幅のほぼ半分の幅（例えば４〜８mm）をもって互いに接着され、パンティ部Ｐが形成されるのである。
【００１８】
なお、このようにして形成されたパンティ部Ｐの股底（股座）中央は、腹側とヒップ側のテープ下端どうしが接続されていないこととなるので、股底補強のため、上記テープの半幅と同幅あるいはそれ以上幅広（例えば１０〜１５mm）の片側接着性の上記テープと同素材からなるフィルム状熱融着性高ストレッチテープを股底の内側面にパンティ部の縦中心線に沿って所定の長さ（５〜１０cm）熱接着する。
【００１９】
また、パンティ部の腹側及びヒップ側の縦中心のウエスト部分のテープ接合個所もほつれ防止のため、少なくともウエスト部分内側の上端縁からウエスト部分の幅にほぼ等しい長さの上記と同じ片側接着性の幅広（例えば１０〜１５mm）のテープを熱接着する。
【発明の効果】
【００２０】
このように、本発明の製造方法によれば、パンティ部は当初２本の筒状生地を互いに所定長さ接合した両面接着性の極薄フィルム状熱融着性高ストレッチテープを該テープに沿って互いに接する２本の筒状生地と共にその半幅にカットすることによって形成されるので、腹側の縦中心から股部を通って臀部側の縦中心までに至る一直線状の極めて細幅の高ストレッチテープの接合によりパンティ部が形成されることとなり、このパンティ部の前後縦中心の直線状の接合部は全体に細くて薄く、非常にしなやかで着用感が良く、パンティ部を無縫製で製造するので、従来のようにパンティ部の接合個所をミシンによって縫合した場合のように、その縫目が突出するようなことが無く、特に、パンティストッキングのような極細糸により編成される薄手の靴下類の場合には、従来のように腹部から股部を通って臀部までの縦中心線に沿って縫合せ個所が大きく突出して、腹部や臀部の肌面に食い込んで跡が付いたり、その部分がかゆくなるようなこともない。
【００２１】
また、本発明の製造法では、従来のような縫目はなく、従来縫合していた接合個所は、その表側面（又は内側面）に熱融着性の高ストレッチテープが熱接着されていて、凹凸部分が生じないから、肌に対して平坦でやさしく接して、肌に食い込むようなことがなく、着用感も良好であり、またほつれも生じることが無く、しかも縫い合わせのための所定幅の縫い代を設定する必要もないから、縫合後の余った縫い代部分を切除する必要も無くて、生地を無駄に使用することもない。
【図面の簡単な説明】
【００２２】
【図１】本発明によるパンティストッキングのパンティ部を製造する際に使用する装置の一例で、この例では一方の筒状生地を外側に被せた正面略凸型の突出治具の中央頂部の筒状生地上側に、剥離紙を備えた所定長さの極薄の両面接着性の熱融着性高ストレッチテープを上記突出治具の長さ方向（前後方向）に置いた状態の説明的正面図である。
【図２】図１の高ストレッチテープの剥離紙を剥がす前に、正面略凸型の突出治具の上方からシリンダ駆動によりヒータを降下させ、高ストレッチテープに当てて加熱加圧することにより上記一方の筒状生地に熱融着する状態を示す作動原理説明図である。
【図３】上記高ストレッチテープの剥離紙を剥がした後に、上記正面略凸型の突出治具とほぼ同形で他方の筒状生地を被せた中央頂部にヒータを備えた他の突出治具を上記突出治具とは上下逆向きにして、シリンダ駆動によりこの他の突出治具を降下させ、上記中央のヒータにより上記テープを加熱加圧して溶融させ、２本の筒状生地の所定個所を互いに熱接着する状態を示す正面説明図である。
【図４】図３の装置により両面接着性の高ストレッチテープで所定個所が熱接着された２本の筒状生地の該テープ部分を該テープと接する２本の筒状生地部分と共にカッターで切り開いてパンティ部を構成する前の状態の他の装置の正面説明図である。
【図５】本発明の方法により製造されたパンティストッキングの説明的斜視図である。
【図６】（イ）〜（ハ）は、従来のパンティストッキングのパンティ部の製造過程を示す説明図である。
【発明を実施するための形態】
【００２３】
以下、本発明の実施例として、パンティストッキングの製造法を一例に挙げて、添付の図１〜５に基づいて説明する。
【００２４】
例えば、パンティストッキングを製造する場合、丸編機で左右２本の伸縮性のある筒状生地１，２を同時に編成することまでは、従来と同じである。
【００２５】
しかして、まず図１に示すように、丸編みされた筒状編み生地１を、正面全体が略凸型形状をなすパンティ部の丈（予め設定したウエスト部から股底部までの長さ）よりも若干前後に長い突出治具６の外側に、ウエスト部５となるべき部分が前側に来るように上記突出治具の６後端部から被せるようにして前方へ引き寄せる。
【００２６】
上記突出治具６の凸型形状は、例えば薄板金属製あるいは硬質プラスチック製で縦断面略凸型の１本の長い箱型に一体形成したり、縦断面上向きコ字形の中央部に周りよりやや高い受け金具を該突出治具６の長さ方向に沿って上方に突出固定して上面平坦な山部６ａとし、全体略凸型の形状としてもよい。
【００２７】
なお、略凸型形状の上記突出治具６の正面全体の大きさは、上記筒状生地１を被せたときに、該生地１がいずれの方向にもほとんど伸張しない程度の大きさとする。
【００２８】
そこで、上記のように、先ず一方の凸型突出治具６に片方の筒状編み生地１を被せたら、該凸型突出治具６中央の山部６ａと接する筒状生地１部分の上側に、ウエスト部５となるべき筒状生地１上端縁部分からパンティ部Ｐの股部の底部（股座）１２となるべき部分までの予め設計した長さの上面に剥離紙９を備えた極薄（例えば肉厚が0.3mm以下）のポリウレタン樹脂フィルムを主材とする所定幅（例えば６〜１６mm）の両面接着性の熱融着性（ホットメルト系）高ストレッチテープ８を筒状生地１上端縁から股底部（股座）１２となるべき部分まで直角方向に置く（図１参照）。
【００２９】
次に、上方に設置したシリンダ１０の駆動により上下動自在のヒータ１１を降下させて、剥離紙９を備えた両面接着性の高ストレッチテープ８に向けて加熱加圧し、該テープ８を先ず該一方の筒状生地１の所定個所に熱接着する（図２参照）。
【００３０】
次いで、上記テープ８の上面剥離紙９を剥がし、もう１本の筒状生地２を同様にして被せた前記と略同構成で山部７ａにヒータ部１２を備えた全体正面が略凸型突出治具７を上下逆向きにし、両凸型治具６，７の山部６ａ，７ａどうしを対向させるようにして、上方に設置した他のシリンダ１３の上下駆動により、上記と同様にして上側の凸型突出治具７中央の山部７ａに接する筒状生地２のウエスト部から股底部分まで上記テープ８のもう片側の粘着面にヒータ１２を押し当てて他の筒状生地２の所定個所に加熱加圧接着する。
【００３１】
これにより、２本の筒状生地１，２どうしは所定個所をウエスト部から股底部分までの長さの両面接着性のフィルム状熱融着性高ストレッチテープ８で互いに接着される（図３参照）。
【００３２】
なお、肉厚0.1mm以下の極薄の上記両面接着性のフィルム状熱融着性高ストレッチテープ８は温度１３０〜１５０℃で融解接着するが、ポリウレタン糸にナイロン糸をカバリングしたパンティストッキングの生地１，２は、通常２２５℃以上でないと融解しないので、上記テープ８を上記ヒータ１１あるいは１２により筒状生地１，２に熱接着する場合は、１３０℃以上２２５℃未満の温度を使用する。
【００３３】
そこで、次に２本の上記略凸型突出治具６，７に被せられて互いに接合された２本の筒状生地１，２をそれぞれ突出治具６，７から取り出し、次の他の治具を使用して上記テープ８を半幅にその長さ方向に裁断する。
【００３４】
図４は、この他の治具の一例を示したもので、この図では２本の筒状生地１，２が、それぞれその一側が上記両面接着性テープ８に接合された部分を中央として、その左右に配置されている例を示しており、各筒状生地１，２はそれぞれその内側側方に前記略凸型形状の突出治具６，７とほぼ同長の杆状の支持治具１４，１４及び１５，１５を上下に適当な間隔を置いて前後方向に突出固定させて、各筒状生地１，２は中央の両面接着性テープ８と内側側方に配置された上下支持治具１４，１４及び１５，１５によって、互いに対称形の略三角形状にピンと張られることになる（図４参照）。
【００３５】
なお、図４では、２本の筒状生地１，２は、その一側が上記両面接着性テープ８に接合された部分を中央として、左右に配置されているが、これを上下に配置しても良く、その場合にはローラカッター１６が配置されている筒状生地２を上側とする。
【００３６】
そして、この互いに対称形の略三角形状に張られた筒状生地１，２の内、片方の筒状生地２の内側には、中央の粘着テープ８側に寄せて機械的に前後方向及び左右方向にスライド可能なローラカッター１６が配置されており（その機構の詳細はこの図では省略する）、また他方の筒状生地１の内側には、中央の粘着テープ８が貼着された筒状生地１部分を支持する受け具１７が設置固定されている（図４参照）。
【００３７】
そこで、片方の筒状生地２の内側から、貼着した両面接着性の高ストレッチテープ８のテープ幅の中心部をその長さ方向に沿って上記ローラカッター１６により該テープ８全体を該テープ８と接する他方の筒状生地１部分と同時に裁断する（図４参照）。
【００３８】
これにより、２本の筒状生地１，２は上記テープ８による接合個所の前後のウエスト部分５から股底部分１２までが一気に切り開かれ、２本の筒状生地１，２の切り開かれた相対する端縁部どうしは互いにこのテープ８の幅のほぼ半分の幅８ａ（例えば３〜８mm）をもって接着され、前方ウエスト部５の腹側から股底部分１２を通ってヒップ側のウエスト部５まで縦中心線がこの半幅の扁平な両面接着テープ８ａにより一直線状となったパンティ部Ｐが形成されることとなるのである（図５参照）。
【００３９】
なお、このようにして形成されたパンティ部Ｐの股底（股座）中央は、腹側とヒップ側のテープ８ａ下端どうしが接続されていないこととなるので、股底１２部分補強のため、上記テープ８の半幅テープ８ａと同幅、あるいはそれより幅広（例えば１０〜１５mm）の上記テープと同素材からなる片側接着性のフィルム状熱融着性高ストレッチテープ１８を股底１２内側面にパンティ部Ｐの縦中心線に沿って所定の長さ（５〜１０cm程度）熱接着するようにする（図５参照）。
【００４０】
また、形成されたパンティ部Ｐの腹側及びヒップ側の縦中心のウエスト５部分の半幅テープ８ａ接合個所の上縁部のほつれを防止するため、少なくともウエスト部分５内側の上端縁からウエスト部分５の幅にほぼ等しい長さで上記テープ８の半幅テープ８ａと同幅、あるいはそれより幅広（例えば１０〜１５mm）の上記と同様の片側接着性のテープ１９を熱接着する（図５参照）。なお、この片側接着性のテープ１９は、ウエスト部分５の幅の倍の長さのテープを使用して、ウエスト部分５の内側から外側に折り返して、ウエスト部分５の内外両側に熱接着するようにしてもよい。
【符号の説明】
【００４１】
１−筒状編み生地
２−筒状編み生地
３−切込み
４−切込み
５−ウエスト部
６−正面略凸型形状の突出治具
７−山部にヒータを備えた正面略凸型形状の突出治具
８−両面接着性の熱接着高ストレッチテープ
９−剥離紙
１０−シリンダ
１１−ヒータ
１２−ヒータ
１３−シリンダ
１４−杆状の支持治具
１５−杆状の支持治具
１６−ローラカッター
１７−受け具
１８−股部の片側接着性の高ストレッチテープ
１９−ウエスト部の片側接着性の高ストレッチテープ
５０−従来のミシンによる縫目部分
Ｐ−パンティ部
Ｌ−レッグ部
【図１】
2019210577.tif 000003
【図２】
2019210577.tif 000004
【図３】
2019210577.tif 000005
【図４】
2019210577.tif 000006
【図５】
2019210577.tif 000007
【図６】
2019210577.tif 000008